(57)【要約】【課題】事故対応用のケーブル終端接続部を、押し上げ方式の１種類のみ準備することで、電源側設備事故時の緊急接続の対応を可能とし、また、ケーブル終端接続部の機器側とケーブル側との接続に際し、ケーブルの捻れを吸収しながら接続することで、接続作業時間の短縮が容易に図れるケーブルヘッドのケーブル終端接続用アダプタ装置を提供する。【解決手段】本発明は、押し上げ方式で終端された電力ケーブルを、落し込み方式のケーブル終端接続部に使用した場合に発生する余長部分をカバーすることのできる補助アダプタを備えたケーブルヘッドのケーブル終端接続用アダプタ装置であり、この補助アダプタは、筒体と、該筒体の一端開口側に一体形成された下部フランジと、該筒体の他端開口側にて若干の回動ずれを許容する範囲内で固定可能とした上部フランジを備えている。【選択図】図２
2009247129.tif 000002
【特許請求の範囲】
【請求項１】
押し上げ方式で終端された電力ケーブルを、落し込み方式のケーブル終端接続部に使用した場合に発生する余長部分をカバーすることのできる補助アダプタを備えたケーブルヘッドのケーブル終端接続用アダプタ装置であり、この補助アダプタは、筒体と、該筒体の一端開口側に一体形成された下部フランジと、該筒体の他端開口側にて若干の回動ずれを許容する範囲内で固定可能とした上部フランジを備えていることを特徴とするケーブルヘッドのケーブル終端接続用アダプタ装置。
【請求項２】
補助アダプタの上部フランジは、円周に沿って複数の円弧状長孔を有し、該円弧状長孔を介して該上部フランジをナットで締付可能とするよう、補助アダプタの下部フランジの周囲に複数の支柱を一体的に立設して成る請求項１に記載のケーブルヘッドのケーブル終端接続用アダプタ装置。
【発明の詳細な説明】
【技術分野】
【０００１】
本発明は、変電所の開閉器等における縮小型開閉設備に使用される、ケーブルヘッドのケーブル終端接続用アダプタ装置に関するものである。
【背景技術】
【０００２】
近年、変電所の開閉器等においては、縮小型開閉設備が多く利用されている。そして、この開閉器等は、電力ケーブルにて接続されている。この電力ケーブルの高電圧ケーブル終端部は絶縁保護のために、油中終端やガス中終端等で立上げられて終端処理され、当該ケーブル終端部にはがい管が装着されてから機器底板等に支持固定される。
【０００３】
このような縮小型開閉設備において、特に、受電電圧６６ｋＶ級の開閉器は、２種類の電力ケーブルを接続可能とするケーブル終端接続部を備えている。
【０００４】
その一つは、落し込み方式によるケーブル終端接続部であり、もう一つは、押し上げ方式によるケーブル終端接続部である。
【０００５】
これらのケーブル終端接続部は、図４・図５に示すように、ケーブルＫはケーブルヘッドＰの中で終端しており、このケーブルヘッドＰの下面には中間フランジ１０が設けられ、その下側にケーブルＫの終端の一部を保護するケーブル保護金具１１が配置され、さらにその下部には防水テープ層１５を介してケーブルＫが固定されている。
【０００６】
そして、ケーブルヘッドＰは、底板１２の貫通孔から上面に突き出すようにして支持されている。このとき、底板１２には絶縁筒９、アダプタ６が当該底板１２の上側と下側とを気密に隔離するためのパッキング１４を介してボルトで締め付け固定されている。
【０００７】
尚、押し上げ方式によるケーブル終端接続部では、絶縁筒９、アダプタ６に加えて、ＣＴ１３が介在している。
【０００８】
ケーブルＫは、シースを剥いで中間フランジ１０に固定され、ケーブルＫの絶縁体の先端部分は圧縮装置８および押しパイプ７を介してプレモールド絶縁体４によってストッパ５によって固定されている。
【０００９】
このケーブルＫの絶縁体の先端部分は剥き出しにされて導体が露出され接続端子３を介して接触子２に接続された後、上方からエポキシ製の襞付きがい管１が装着される。
【特許文献１】特になし
【発明の開示】
【発明が解決しようとする課題】
【００１０】
しかしながら、従来においては、落し込み方式によるケーブル終端接続部は、図４に示すように、アダプタ６部分の長さが１０５ｍｍであるのに対し、押し上げ方式によるケーブル終端接続部では、図５に示すように、アダプタ６部分の長さが２１０ｍｍである。
【００１１】
すなわち、押し上げ方式によるケーブル終端接続部のアダプタ６部分の長さが、落し込み方式によるケーブル終端接続部のアダプタ６部分の長さの倍となる。
【００１２】
このように、押し上げ方式によるケーブル終端接続部は、落し込み方式によるケーブル終端接続部に比してアダプタ６部分が１０５ｍｍ長くなることから、落し込み方式によるケーブル終端接続部で接続される縮小型開閉設備に，押し上げ方式によるケーブル終端接続部を使用した場合、余長部分が露出した状態となる。
【００１３】
このような事態を回避するには、縮小型開閉設備の電源側設備事故時の緊急接続用として、落し込み方式と押し上げ方式との２種類の終端接続部を別個に準備する必要があるが、設備投資が割高となり、しかも、電源側設備事故時の緊急接続作業も煩雑化する事態が生じてしまう。
【００１４】
また、緊急接続用ケーブル（移動用ケーブル）は端末処理済みであることから、ケーブル終端接続部の機器側とケープル側との接続に際しては、ケーブルに横ずれや捻れを与えるような力を加えると、ケーブルの終端部に無理な力が加わって、絶縁特性を低下させてしまう。
【００１５】
そのため、ケーブルの捻れを慎重に調整しながら、ボルトの取付位置を微妙に調整して接続する必要があり、接続作業に要する時間が掛かり過ぎてしまう等の問題点を有していた。
【００１６】
そこで、本発明は如上のような従来存した諸事情に鑑み創出されたもので、事故対応用のケーブル終端接続部を、押し上げ方式の１種類のみ準備することで、電源側設備事故時の緊急接続の対応を可能とし、また、ケーブル終端接続部の機器側とケーブル側との接続に際し、ケーブルの捻れを吸収しながら接続することで、接続作業時間の短縮が容易に図れるケーブルヘッドのケーブル終端接続用アダプタ装置を提供することを目的とする。
【課題を解決するための手段】
【００１７】
本発明は、押し上げ方式で終端された電力ケーブルを、落し込み方式のケーブル終端接続部に使用した場合に発生する余長部分をカバーすることのできる補助アダプタを備えたケーブルヘッドのケーブル終端接続用アダプタ装置であり、この補助アダプタは、筒体と、該筒体の一端開口側に一体形成された下部フランジと、該筒体の他端開口側にて若干の回動ずれを許容する範囲内で固定可能とした上部フランジを備えていることで、上述した課題を解決した。
【００１８】
また、補助アダプタの上部フランジは、円周に沿って複数の円弧状長孔を有し、該円弧状長孔を介して該上部フランジをナットで締付可能とするよう、補助アダプタの下部フランジの周囲に複数の支柱を一体的に立設して成ることで、同じく上述した課題を解決した。
【発明の効果】
【００１９】
本発明によれば、事故対応用のケーブル終端接続部を、押し上げ方式の１種類のみ準備することで、電源側設備事故時の緊急接続の対応を可能としている。
【００２０】
また、ケーブル終端接続部の機器側とケーブル側との接続に際し、ケーブルの捻れを吸収しながら接続することで、接続作業時間の短縮を図っている。
【００２１】
すなわち、本発明は、押し上げ方式で終端された電力ケーブルを、落し込み方式のケーブル終端接続部に使用した場合に発生する余長部分をカバーする（露出部分を隠す）ことのできる補助アダプタを備えているので、事故対応用のケーブル終端接続部を、押し上げ方式の１種類のみ準備することで、電源側設備事故時の緊急接続の対応が可能となる。
【００２２】
また、本発明によれば、事故対応用のケーブル終端接続部を、押し上げ方式の１種類のみ準備することから、電源側設備事故時の緊急接続の対応を可能とする補助アダプタを、安価に製作することができる。
【００２３】
さらに、補助アダプタは、筒体と、該筒体の一端開口側に一体形成された下部フランジと、該筒体の他端開口側にて若干の回動ずれを許容する範囲内で固定可能とした上部フランジを備えていることから、ケーブル終端接続部の機器側とケーブル側との接続に際し、ケーブルの捻れを吸収しながら接続することができる。
【００２４】
また、補助アダプタの上部フランジは、円周に沿って複数の円弧状長孔を有し、該円弧状長孔を介して該上部フランジをナットで締付可能とするよう、補助アダプタの下部フランジの周囲に複数の支柱を一体的に立設して成ることから、ケーブル終端接続部の機器側とケーブル側との接続に際し、ケーブルの捻れを円弧状長孔によって吸収しながら接続することができ、これによって接続作業時間の短縮が容易に図れるのである。
【発明を実施するための最良の形態】
【００２５】
以下に、本発明を実施するための最良の形態を、図面を参照して説明する。
【００２６】
本発明に係るケーブルヘッドＰのケーブル終端接続用アダプタ装置は、図１乃至図３に示すように、押し上げ方式で終端された電力ケーブルを、落し込み方式のケーブル終端接続部に使用した場合に発生する余長部分をカバーする（露出部分を隠す）ための補助アダプタ２０とから構成されている。
【００２７】
ケーブルヘッドＰにおけるケーブルＫの終端接続部は、図４・および図５に示すように、ケーブルＫはケーブルヘッドＰの中で終端しており、このケーブルヘッドＰの下面には中間フランジ１０が設けられ、その下側にケーブルＫの終端の一部を保護するケーブル保護金具１１が配置され、さらにその下部には防水テープ層１５を介してケーブルＫが固定されている。
【００２８】
そして、ケーブルヘッドＰは底板１２の貫通孔から上面に突き出すようにして支持されている。このとき、底板１２には、絶縁筒９、アダプタ６が当該底板１２の上側と下側とを気密に隔離するためのパッキング１４を介して、ボルトで締め付けて固定されている。
【００２９】
尚、押し上げ方式によるケーブル終端接続部では、絶縁筒９、アダプタ６に加えて、ＣＴ１３が介在している。
【００３０】
ケーブルＫは、シースを剥いだ状態で、ケーブルＫの絶縁体の先端部分は圧縮装置８および押しパイプ７を介して、プレモールド絶縁体４によりストッパ５によって固定されている。このケーブルＫの絶縁体の先端部分は、剥き出しにされて導体が露出された接続端子３を介して、接触子２に接続された後、上方からエポキシ製の襞付きがい管１が装着される
【００３１】
尚、アダプタ６および補助アダプタ２０のそれぞれは、Ｏリングによって気密が確保されている。
【００３２】
アダプタ６は、図１に示すように、ケーブルＫの終端接続部のプレモールド絶縁体４および押しパイプ７に挿入される長さ１０５ｍｍの、例えば、円形状の筒体６ｃによって形成されている。また、その一端開口側には、後述する補助アダプタ２０の上部フランジ２０ａにボルトで締結される下部フランジ６ｂが形成され、さらに他端開口側には、襞付きのがい管１が装着される上部フランジ６ａが形成されている。
【００３３】
補助アダプタ２０は、図１・図２に示すように、ケーブルＫの終端接続部のプレモールド絶縁体４および押しパイプ７に挿入される長さ１０５ｍｍの、例えば、円形状の筒体２０ｃによって形成されている。
【００３４】
そして、ケーブルＫの終端接続部の絶縁筒９に固定される、例えば、矩形板状の下部フランジ２０ｂが、筒体２０ｃの一端開口側に一体形成されている。
【００３５】
さらに、押し上げ方式のケーブルＫの終端接続部に使用されるアダプタ６の下側に位置するフランジ６ｂに固定される上部フランジ２０ａが、筒体２０ｃの他端開口側にて、若干の回動ずれを許容する範囲内で、ナットの締付によって固定されるようにしている。
【００３６】
補助アダプタ２０の具体的な構成としては、上部フランジ２０ａ円周に沿って複数の円弧状長孔２２を形成し、該円弧状長孔２２に対応すべく、補助アダプタ２０の下部フランジ２０ｂ周囲に複数のロッド状の支柱２１が一体的に立設されている。
【００３７】
そして、これらの円弧状長孔２２に、支柱２１の先端面に突設されたネジ部を挿通し、上側からナットで締付けることで、任意の捻れ位置に上部フランジ２０ａが固定されるようにしている。これにより、移動用のケーブルＫの巻き癖から発生する捻れを、充分に吸収できるようにしている。
【００３８】
次に、以上のように構成された本発明の最良の形態について、使用の一例を説明する。
【００３９】
ケーブルヘッドＰにおいて、押し上げ方式のケーブルＫの終端接続部に使用されるアダプタ６を、落し込み方式の終端接続部に使用する際には、先ず、図１に示すように、補助アダプタ２０の上部フランジ２０ａについて、円弧状長孔２２のナットを緩めておくことで、補助アダプタ２０の筒体２０ｃに対してフリーな状態にしておく。
【００４０】
そして、ケーブルＫの終端接続部のプレモールド絶縁体４および押しパイプ７に、補助アダプタ２０の筒体２０ｃを挿入して、下部フランジ２０ｂを絶縁筒９にボルトで固定する。
【００４１】
次に、円弧状長孔２２のナットを締付けて、任意の捻れ位置に上部フランジ２０ａを固定することにより、移動用のケーブルＫの巻き癖から発生する捻れが吸収される。
【００４２】
また、ケーブルＫの終端接続部のプレモールド絶縁体４および押しパイプ７を、押し上げ方式のケーブルＫの終端接続部に使用されるアダプタ６の筒体６ｃを挿入して、下部フランジ６ｂを補助アダプタ２０の上部フランジ２０ａにボルトで固定する。
【００４３】
こうして、押し上げ方式で終端された電力ケーブルを、落し込み方式のケーブル終端接続部に使用した場合に発生する余長部分を、完全にカバーする（露出部分を隠す）ものとなる。
【産業上の利用可能性】
【００４４】
本発明に係るケーブルヘッドＰのケーブルＫの終端接続用アダプタ装置は、変電所の開閉器等における縮小型開閉設備に使用される他に、高圧変電所等における種々のケーブルＫの終端接続用の装置として幅広く利用することができる。
【図面の簡単な説明】
【００４５】
【図１】本発明に係るケーブルヘッドのケーブル終端接続用アダプタ装置の構成を示す分解斜視図である。
【図２】ケーブルヘッドのケーブル終端接続用アダプタ装置の組付状態を示す斜視図である。
【図３】ケーブルヘッドのケーブル終端接続用アダプタ装置の組付状態を示す側面図である。
【図４】従来例における落し込み方式によるケーブル終端接続部の構成を示す一部切欠の断面図である。
【図５】従来例における押し上げ方式によるケーブル終端接続部の構成を示す一部切欠の断面図である。
【符号の説明】
【００４６】
Ｐ…ケーブルヘッド
Ｋ…ケーブル
１…がい管
２…接触子
３…接続端子
４…プレモールド絶縁体
５…ストッパ
６…アダプタ
６ａ…上部フランジ
６ｂ…下部フランジ
６ｃ…筒体
７…押しパイプ
８…圧縮装置
９…絶縁筒
１０…中間フランジ
１１…ケーブル保護金具
１２…底板
１３…ＣＴ
１４…パッキング
１５…防水テープ層
２０…補助アダプタ
２０ａ…上部フランジ
２０ｂ…下部フランジ
２０ｃ…筒体
２１…支柱
２２…円弧状長孔
【図１】
2009247129.tif 000003
【図２】
2009247129.tif 000004
【図３】
2009247129.tif 000005
【図４】
2009247129.tif 000006
【図５】
2009247129.tif 000007